(57)【要約】  【課題】落下水膜１３の振動を安定して抑制できる落下水膜の振動抑制方法を提供する。  【解決手段】水膜１３の落下位置に障害物２０を配置したり、斜めの底板を配置して、水膜１３の落下距離を不均一に設定し、水膜各点の落下終了位置での水平方向の変位に位相差を発生させて、水膜背後の閉空間の圧力変動を相殺する。水膜背後の閉空間の圧力変動を抑えることにより、水膜振動は抑制される。水膜１３の水量が多い場合でも、また、落下水膜１３に風などの外乱が加わった場合でも、安定して水膜振動を抑えることができる。  【選択図】図１
2006307441.tif 000002
【特許請求の範囲】
【請求項１】
落下水膜の振動を抑制する振動抑制方法であって、
水膜の落下距離を不均一に設定し、水膜各点の落下終了位置での水平方向の変位に位相差を発生させて、水膜による発生圧力を相殺する落下水膜の振動抑制方法。
【請求項２】
請求項１に記載の振動抑制方法であって、水膜の落下距離を不均一にするために、水膜の落下位置に段差を設ける落下水膜の振動抑制方法。
【請求項３】
請求項１に記載の振動抑制方法であって、水膜の落下距離を不均一にするために、水膜の落下位置に傾斜面を設ける落下水膜の振動抑制方法。
【請求項４】
請求項１に記載の振動抑制方法であって、水膜の落下距離を不均一にするために、水膜の発生位置に、傾斜辺を有する板を設け、水膜を前記傾斜辺を通って落下させる落下水膜の振動抑制方法。
【請求項５】
落下水膜の振動を抑制する振動抑制装置であって、
水膜の落下距離を不均一に設定する落下距離規制手段を備え、
前記落下距離規制手段は、水膜各点の落下終了位置での水平方向の変位に、水膜による発生圧力を相殺する位相差が発生するように、前記落下距離を規定する落下水膜の振動抑制装置。
【請求項６】
請求項１に記載の振動抑制装置であって、前記落下距離規制手段が、水膜の落下位置に配置された段差である落下水膜の振動抑制装置。
【請求項７】
請求項１に記載の振動抑制装置であって、前記落下距離規制手段が、水膜の落下位置に配置された傾斜面である落下水膜の振動抑制装置。
【請求項８】
請求項１に記載の振動抑制装置であって、前記落下距離規制手段が、水膜の発生位置に配置された傾斜辺を有する板である落下水膜の振動抑制装置。
【発明の詳細な説明】
【技術分野】
【０００１】
本発明は、堰やダム等から落下する水膜の振動を抑制する装置とその抑制方法に関し、特に、落下水膜の振動に起因する低周波音の発生を防止するものである。
【背景技術】
【０００２】
砂防ダムのような固定堰、あるいはゲートのような堰から水が膜状になって落下する場合、しばしば水膜振動が発生し、近隣の民家の障子や窓ガラスを振動させたり、ゲートそのものを振動させたりして問題となることがある。この水膜振動は、水膜背後空間の圧力変動が要因と考えられており、対策として、越流水膜をある幅で分割するスポイラー（水膜分離装置）を堰に設け、水膜背後と前方との圧力差を無くす方法が採られている。しかし、この方法を採用しても、水膜の厚さが厚い場合は、水が切れずに振動が発生する。
【０００３】
本発明の発明者等は、先に、落下水膜の挙動について解析し、スポイラーに代わる落下水膜振動の抑制方法について提案している（下記非特許文献１）。
落下水膜の挙動解析には、図９の実験装置を使用した。この装置は、上部水槽１０と下部水槽１１とを備えており、上部水槽１０の底に開けた幅ａN、長さ３００ ｍｍのスリット１２から水が下部水槽１１へ落下し、落下高さｈの水膜１３が形成される。また、上部水槽１０と下部水槽１１との間には、スリット１２からｂだけ離れて垂直に立つ背面板１４と、水膜１３の両側に垂直に立つアクリル製の側板１５、１６とを具備しており、水膜１３、側板１５、１６、背面板１４及び下部水槽１１内の水によって閉空間が形成されている（但し、側板１５、１６及び背面板１４と上部水槽１０の底との間には僅かな隙間が存在する）。また、上部水槽１０は、ポンプで汲み上げた下部水槽１１の水を上部水槽１０に供給する給水管１７と、ハニカム状の整流板１８とを備えており、この整流板１８の作用で、上部水槽１０のスリット１２上の水は、水位ｄの静かな液面を形成する。
【０００４】
図１０は、水膜振動が十分発達した状態での振動の一周期にわたる水膜形状と、閉空間内の圧力変動とを示している。（ａ）〜（ｈ）の各水膜の右側が閉空間である。また、振動する水膜の山の一つに注目し、その山の各瞬間での位置を三角印で示している。
この図から、水膜振動が上から下へ向かう進行波的であること、水膜下部ほど振幅が増加していること、また、重力によって加速されるため、水膜下部ほど流速が速くなり波長が長くなっていることが分かる。閉空間内の圧力は、水膜振動と同じ振動数で周期的に変動しており、図１０（ａ）に示すように、水膜最下部が開空間側（左側）に変位したときに圧力は最高となり、図１０（ｅ）に示すように、閉空間側（右側）に変位したときに最低となる。また、この水膜最下部の変位が最大（最小）となる付近で閉空間圧力は急に増加あるいは減少している。
【０００５】
また、振動していない静止状態の水膜が振動を始める場合に、いくつかの異なる振動数の水膜振動が発生する（それぞれの振動数で水膜振動する各状態を「モード」と呼ぶことにする）。図１１は、ａN＝３．１ｍｍ、ｈ＝６２０ｍｍ、ｄ＝２５０ｍｍの場合に発生した（ａ）９．８Ｈｚと（ｂ）１４．０Ｈｚの二つの振動モードの水膜振動を示している。他の実験条件では１〜４のモードが観察された。
実験条件を同じにしても複数のモードが現れる。振動発生直後の落下水膜には複数の振動モードが混在しているが、どのモードが選択されるかというメカニズムは分からないが、短時間（２〜５秒程度）でいずれか一つのモードに落ち着く。ただ、複数のモードの中には、その条件により、発生し易いモードと発生し難いモードとが存在している。
【０００６】
ここで、各モードにおいて、流体が上部水槽１０から落下して下部水槽１１の水面に達するまでの落下時間をＴ、その水膜１３の振動数をｆとして、Ｓ＝Ｔ×ｆを求めると、実験結果は、
Ｓ＝（整数値Ｋ）＋ (約１／４)
と表されることを示している。このＳは、落下時間の間に、ある位置の水膜が何回振動するかを示している。複数の水膜振動におけるＳが同じ場合は、それらの水膜に含まれる波の数は等しい。
以下、Ｓに含まれる整数値Ｋが１であるモードを１ｓｔモード、Ｋが２であるモードを２ｎｄモード、・・・と呼ぶことにする。図１２には、１ｓｔモード（ａ）、２ｎｄモード（ｂ）、３ｒｄモード（ｃ）、４ｔｈモード（ｄ）及び５ｔｈモード（ｅ）の各振動の形を示している。
【０００７】
これらの水膜振動は、図１３（ａ）（実験装置（図９）の断面図）、図１３（ｂ）（図１３（ａ）のＡ−Ａ断面図）に示すように、水膜背後の閉空間を遮るバッフル板１９を、下部水槽１１の水面から、最低次モードの水膜振動の１／４波長に相当する位置に設けることで抑制できる（バッフル板１９の位置は、図９にも点線で示している）。
これは、次のような理由による。
図１４において、水膜の太線の領域は、落下水膜が閉空間の圧力に対して正の仕事をする領域を表し、水膜の細線の領域は、落下水膜が閉空間の圧力に対して負の仕事をする領域を表している。落下水膜中に含まれる１周期の波は、閉空間の圧力に対して、正の仕事をする領域と負の仕事をする領域との両方を含むから、正負の仕事がほぼ相殺される。従って、落下水膜に含まれるＫ個の波は、閉空間の圧力に大きな作用を及ぼさず、結果的に水面付近の１／４波長の水膜による仕事が、閉空間の圧力変動を生起し、水膜を振動させている。
【０００８】
これは、図１５の観測結果からも確かめることができる。図１５（ａ）は、静かに流れ落ちる水膜（Ｏ）の上部に開空間側より短時間だけ空気を送り（Ａ）、その外乱に基づいて継続的な水膜振動を発生させたときの水膜形状を示しており、図１５（ｂ）は、このときに測定した、水膜背後の閉空間における大気圧との圧力差ｐ（細線）と、水膜最下部の水面での変位ηh（太線）とを、横軸に時間を取って示している。ｐとηhとは高い相関を有しており、落下水膜背後の閉空間の圧力変動が、主に水膜最下部付近の変位によって齎されることを示している。
この水膜最下部付近の変位によって発生した圧力変動は、閉空間を介して水膜の上流側を揺する圧力の基となり、それによって発生した水膜の乱れが、水膜最下部付近の変位を助長し、水膜の乱れと閉空間の圧力変動とのフィードバックループが形成される。
【０００９】
これに対して、水面から１／４波長付近の高さにバッフル板１９を取り付けた場合は、バッフル板１９の下方で発生する圧力変動の影響がバッフル板１９の上方に伝わり難くなる。その結果、フィードバックループが遮断され、水膜の乱れによる閉空間内の圧力変動が抑制され、水膜の振動が抑えられる。
また、下部水槽１１の水面から最低次モードの振動の１／４波長位置にバッフル板１９を取り付けた場合は、高次モードの振動の１／４波長位置が、すべてバッフル板１９の下になるため、高次モードの振動で発生する圧力変動の影響もバッフル板１９の上方には伝わらない。
【非特許文献１】佐藤勇一他「落下水膜の挙動に関する研究」日本機械学会機械力学・計測制御部門ＣＤ−ＲＯＭ論文集（２００４年９月）
【発明の開示】
【発明が解決しようとする課題】
【００１０】
しかし、非特許文献１で提案した落下水膜の振動抑制方法では、バッフル板の下方で発生する圧力変動の影響がバッフル板の上方に伝わらないようにするため、バッフル板先端を落下水膜にできるだけ近づけて配置する必要があるが、バッフル板と水膜との距離が近いと、風圧等を受けた水膜がバッフル板に乗り上げる事態が起こり得る。このとき、バッフル板の上側において振動数がＳ（＝（整数値Ｋ）＋ (約１／４)）の水膜振動が発生し、非特許文献１の方法では、この振動を抑えることができない。
そのため、この方法を実際の堰等に適用した場合、落下水膜の振動を安定して抑制することが難しい。
【００１１】
本発明は、こうした問題点を解決するものであり、落下水膜の振動を安定して抑制することができる落下水膜の振動抑制方法と振動抑制装置とを提供することを目的としている。
【課題を解決するための手段】
【００１２】
本発明の落下水膜の振動抑制方法では、水膜の落下距離を不均一に設定し、水膜各点の落下終了位置での水平方向の変位に位相差を発生させて、水膜による発生圧力を相殺する。
水膜背後の空間の圧力変動を抑えることにより、水膜振動は抑制される。
【００１３】
また、本発明の落下水膜の振動抑制方法では、水膜の落下距離を不均一にするために、水膜の落下位置に段差を設ける。
この段差により、水膜の落下距離は段階的に変化し、落下終了位置での水膜の一部の変位と他部の変位とが位相差を持つことになり、その位相差が水膜による発生圧力を相殺する。
【００１４】
また、本発明の落下水膜の振動抑制方法では、水膜の落下距離を不均一にするために、水膜の落下位置に傾斜面を設ける。
この傾斜面により、水膜の落下距離は連続的に変化し、無限段の段差を設けたことに相当する。
【００１５】
また、本発明の落下水膜の振動抑制方法では、水膜の落下距離を不均一にするために、水膜の発生位置に、傾斜辺を有する板を設け、水膜をこの傾斜辺を通って落下させる。
水膜振動の波面は、この傾斜辺と平行になり、水膜の落下距離は連続的に変化することになる。
【００１６】
また、本発明の落下水膜の振動抑制装置は、水膜の落下距離を不均一に設定する落下距離規制手段を備えており、この落下距離規制手段が、水膜各点の落下終了位置での水平方向の変位に、水膜による発生圧力を相殺する位相差が発生するように、落下距離を規定する。
落下距離規制手段の作用で水膜背後の空間の圧力変動が抑えられ、水膜振動が抑制される。
【００１７】
また、本発明の落下水膜の振動抑制装置は、落下距離規制手段として、水膜の落下位置に配置した段差を有している。
この段差が、水膜の落下距離は段階的に変化させる。
【００１８】
また、本発明の落下水膜の振動抑制装置は、落下距離規制手段として、水膜の落下位置に配置した傾斜面を有している。
この傾斜面が、水膜の落下距離を連続的に変化させる。
【００１９】
また、本発明の落下水膜の振動抑制装置は、落下距離規制手段として、水膜の発生位置に配置した傾斜辺を有する板を備えている。
水膜は、その波面が落下距離規制手段の板の傾斜辺と平行に落下するため、水膜の落下距離が連続的に変化する。
【発明の効果】
【００２０】
本発明の落下水膜の振動抑制方法及び振動抑制装置は、水膜の水量が多い場合でも、また、落下水膜に風などの外乱が加わった場合でも、安定して水膜振動を抑えることができる。
【発明を実施するための最良の形態】
【００２１】
（第１の実施形態）
本発明の第１の実施形態では、水膜の落下距離を段階的に違えるように構成した落下水膜の振動抑制装置について説明する。
この装置は、図１に示すように、下部水槽１１に、落下水膜１３の一部分だけが乗り上げる箱状の障害物２０を備えている。その他の構成は、図９と変わりがない。この装置では、水膜１３、側板１５、１６、背面板１４、障害物２０及び下部水槽１１内の水によって閉空間が形成される（但し、側板１５、１６及び背面板１４と上部水槽１０の底との間には僅かな隙間が存在する）。
【００２２】
図２は、水膜１３の正面方向から障害物２０を見た図であり、図２（ａ）は１つの障害物２０１を配置して、水膜の落下距離を２段階に設定した場合、図２（ｂ）は２つの障害物２０２、２０３を配置して、水膜の落下距離を３段階に設定した場合を示している。
図３は、図１の装置の落下高さｈ＝６２０ｍｍ、流出速度（上部水槽１０のスリット１２から放出される水膜の初速度）ｕN＝１．８２ｍ／ｓに設定し、この装置の下部水槽１１に、図２（ａ）の１つの障害物２０１を配置したときの障害物２０１の高さＣ１（ｍｍ）と、発生する水膜振動との関係を表に纏めている。
【００２３】
図３の左端にはＣ１（ｍｍ）の値、次欄には「系の安定性」を記載し、その右側に、発生した水膜振動のＳ（＝振動数ｆ×落下時間Ｔ）の値を１ｓｔモード、２ｎｄモード、３ｒｄモード、４ｔｈモード及び５ｔｈモードの各モードに分けて記載している。
「系の安定性」は、常に振動が発生し「不安定」な状態を「Ｕ」、水膜を扇いだりして外乱を加えたときにのみ振動が発生する「準安定」な状態を「ＱＳ」、外乱を加えても振動が発生しない「安定」な状態を「Ｓ」で表している。
また、Ｓ＝ｆＴの計算に用いたｆ（周波数）は、水膜を撮影した高速ビデオの映像を解析して求めており、また、Ｔ（落下時間）は、初速度ｕNの流体が重力ｇの影響を受けて距離ｈだけ落下するときの時間を表す数式１に、便宜的にｈ＝６２０ｍｍを代入して算出している。
Ｔ＝｛√（２ｇｈ＋ｕN2）−ｕN｝／ｇ          （数式１）
＝０．２１５秒
そのため、Ｓにおける少数点以下の値は、大きな意味を持たず、Ｓの整数部分、即ち、どのモードの水膜振動が発生したかが意味を持つ。
【００２４】
図３において、Ｃ１＝０ｍｍは障害物２０１を設置していない状態であり、この場合、２ｎｄモードまたは３ｒｄモードの振動が現れる。Ｃ１＝０〜５０ｍｍの範囲では常に振動が発生し「不安定」である。また、Ｃ１＝７０、９０ｍｍでは「準安定」である。このように、障害物２０１の高さＣ１によって発生モードと安定性とが変化する。
【００２５】
図４は、各モードの波形を、水面に相当する図の下端から上方向に正を取る座標で表し、各波形の上に図３で記載した各モードの振動発生位置（灰色部分）を重ね合わせて表示している。図中の破線は、各モードの水膜の変位が、水面での変位と逆位相になる高さを結んだ線である。
この図４から、障害物２０１の高さＣ１が破線近傍にあれば、水膜振動は発生せず、逆に、障害物２０１の高さＣ１が破線から離れていると、振動が発生し易い不安定な状態にあることが分かる。
【００２６】
従って、あるモードにおける水面での水膜の変位と逆位相に当たる高さ付近に段差を設ければ、そのモードの振動発生が抑制できることを示している。
これは、水面に正（負）方向に変位した水膜が衝突して正 (負)の圧力が発生する場合に、段差部分では、負（正）方向に変位した水膜が障害物２０１に衝突して負 (正)の圧力を発生し、これらが相殺されて水膜を揺する圧力変化が生じないためである。
【００２７】
このことから、様々な高さの段差を設け、各モードの振動発生を抑制することにより、水膜に外乱を加えても振動が発生しない「安定」な状態を作り出せることが分かる。
図５（ａ）は、この装置の下部水槽１１に、図２（ｂ）のように高さＣ２＝１５０ｍｍの障害物２０２と、高さＣ１の障害物２０３とを配置し、障害物２０３の高さＣ１を変えたときに発生する水膜振動を表に纏めている。この場合は、Ｃ１＝５０、７０ｍｍのときに「安定」な状態になる。
【００２８】
この装置では、障害物２０２の高さＣ２が１ｓｔモード、２ｎｄモード及び３ｒｄモードの振動発生を抑えており、障害物２０３の高さＣ１が残りの４ｔｈモード及び５ｔｈモードの振動発生を抑える高さのとき「安定」状態になる。
また、図５（ｂ）は、同様に、この装置の下部水槽１１に、高さＣ２＝２００ｍｍの障害物２０２と、高さＣ１の障害物２０３とを配置し、障害物２０３の高さＣ１を変えたときに発生する水膜振動を表示している。この場合は、Ｃ１＝５０〜９０ｍｍのときに「安定」な状態になる。
【００２９】
この装置では、障害物２０２の高さＣ２が１ｓｔモード、２ｎｄモード及び５ｔｈモードの振動発生を抑えており、障害物２０３の高さＣ１が残りの３ｒｄモード及び４ｔｈモードの振動発生を抑える高さのとき「安定」状態になる。
また、図５（ｃ）は、同様に、この装置の下部水槽１１に、高さＣ２＝２５０ｍｍの障害物２０２と、高さＣ１の障害物２０３とを配置し、障害物２０３の高さＣ１を変えたときに発生する水膜振動を表示している。この場合は、Ｃ１＝７０ｍｍのときに「安定」な状態になる。
【００３０】
この装置では、障害物２０２の高さＣ２が１ｓｔモード及び４ｔｈモードの振動発生を抑えており、障害物２０３の高さＣ１が残りの２ｎｄモード、３ｒｄモード及び５ｔｈモードの振動発生を抑える高さのとき「安定」状態になる。
このように、この落下水膜の振動抑制装置では、水膜最下部が水面に落下衝突したときに発生する圧力変動に対して、位相差を持つ圧力変動を発生するように水膜の下端に段差を設けており、こうすることで、水膜背後の閉空間内部の圧力変動を相殺し、水膜の振動の発生を抑制することができる。
なお、水膜の下端における段差は、３以上に設定しても良い。
【００３１】
（第２の実施形態）
本発明の第２の実施形態では、水膜の落下距離を連続的に変えて落下水膜の振動を抑制する装置について説明する。
この装置は、図６（斜視図）及び図７（ａ）（正面図）、図７（ｂ）（側面図）に示すように、下部水槽１１の水膜１３の落下位置に斜めの底板２２を備えており、また、上部水槽１０の水出口の片側にアクリル製の三角板２１を備えている。その他の構成は、図９と変わりがない。
【００３２】
この装置では、上部水槽１０のスリット１２から流れ出た水が、三角板２１に沿って流れ落ち、三角板２１の斜辺を通過して始めて振動可能な水膜１３となる。この水膜１３の落下距離は、三角板２１の斜辺位置から底板２２までの長さとなる。また、水膜背後の閉空間は、水膜１３、側板１５、１６、背面板１４、底板２２及び下部水槽１１内の水によって形成される（但し、側板１５、１６及び背面板１４と上部水槽１０の底との間には僅かな隙間が存在する）。
【００３３】
図８は、三角板２１及び底板２２の傾斜を種々変えたときに発生する水膜振動を表に纏めている。表中のＳ（＝ｆＴ）の値は、水膜を撮影した高速ビデオの映像から求めたｆ（周波数）と、数式１のｈに、便宜的に図７（ａ）の（６２０−Ｃｄ）（但し、Ｃｄは立てかけた底板２２の高さ）の値を代入して求めたＴ（落下時間）とを乗算して算出している。Ｓにおける少数点以下の値は、大きな意味を持たず、Ｓの整数部分、即ち、どのモードの水膜振動が発生したかが意味を持つ。
図８（ａ）は、三角板２１の垂直な辺の長さＣｕをＣｕ＝０ｍｍ（即ち、三角板２１が存在しない状態）に設定し、底板２２を立てかける高さＣｄを変えたときに発生する水膜振動を表に纏めている。この場合、Ｃｄ＝１８０ｍｍ〜３００ｍｍのときに「安定」状態になる。
【００３４】
また、図８（ｂ）は、三角板２１をＣｕ＝８０ｍｍに設定し、底板２２の高さＣｄを変えたときに発生する水膜振動を表示している。この場合も、Ｃｄ＝１８０ｍｍ〜３００ｍｍのときに「安定」状態になる。
また、図８（ｃ）は、三角板２１をＣｕ＝１２０ｍｍに設定し、底板２２の高さＣｄを変えたときに発生する水膜振動を表示している。この場合には、Ｃｄ＝２００ｍｍ〜３００ｍｍのときに「安定」状態になる。
また、図８（ｄ）は、三角板２１をＣｕ＝１６０ｍｍに設定し、底板２２の高さＣｄを変えたときに発生する水膜振動を表示している。この場合、Ｃｄ＝０〜６０ｍｍ及びＣｄ＝２４０ｍｍ〜３００ｍｍのときに「安定」状態になる。
また、図８（ｅ）は、三角板２１をＣｕ＝２００ｍｍに設定し、底板２２の高さＣｄを変えたときに発生する水膜振動を表示している。この場合は、Ｃｄ＝０〜３００ｍｍの全てにおいて「安定」状態になる。
【００３５】
図８から明らかなように、三角板２１の傾斜が増加すると水膜振動は発生しにくくなり、実験範囲の中で最も傾斜のきついＣｕ＝２００ｍｍ（図８（ｅ））の条件では、どのＣｄにおいても水膜振動が発生しない。
一方、三角板２１の斜辺と底板とが平行に近いと、水膜振動が成長し易く、不安定性が強い。
また、図８（ａ）から明らかなように、Ｃｄ＝１８０ｍｍ以上の底板２２のみを取り付けたときに振動は完全に抑制される。
また、図８（ｄ）から明らかなように、Ｃｕ＝１６０ｍｍの三角板２１のみを取り付けたときも完全に振動が抑制される。
【００３６】
このように、水膜の発生箇所に三角板２１を配置し、あるいは、水面に斜めの底板２２を設けることにより、高い振動抑制の効果が得られる。これは、三角板２１や底板２２の設置が無限段の段差を設けることに相当し、その間に含まれる全ての振動モードが抑制されるためである。
即ち、上部水槽１０のスリット１２に三角板２１を取り付けた場合は、水膜振動の波面が三角板２１の斜辺と平行に斜めになり、水面に衝突したときの水膜の各点の変位に位相差が生じる。このとき各点で発生する圧力にも同じく位相差が生じて打ち消しあうために、水膜背後の閉空間における圧力変動が発生せず、水膜振動は抑制される。
【００３７】
また、下部水槽１１に斜めの底板２２を設けた場合は、底板２２に衝突した水膜の各点の変位に位相差が生じる。このとき各点で発生する圧力にも同じく位相差が生じて打ち消しあうために、水膜背後の閉空間での圧力変動が発生せず、水膜振動は抑制される。
一方、三角板２１の斜辺と底板２２とが平行に近い場合は、落下水膜の各点での落下距離が等しくなり、波面の衝突時の位相が揃ってしまうために水膜振動が発生する。
【００３８】
このように、落下水膜の振動は、水膜の落下距離を不均一に設定し、落下終了位置における水膜の水平方向の変位に位相差を発生させて、水膜背後の閉空間の圧力変動を相殺することにより、抑制できる。
この方法に依れば、落下水膜の厚さに関わらず、水膜振動を安定的に抑えることが可能である。
なお、底板２２の傾斜面は曲面であっても良く、三角板２１の傾斜辺は曲線であっても良い。
【産業上の利用可能性】
【００３９】
本発明の落下水膜の振動抑制方法及び振動抑制装置は、堰やダムから落下する水膜の振動を効果的に抑制することが可能であり、この振動に起因する低周波音公害を防止するために、各所の堰やダム等で利用することができる。
【図面の簡単な説明】
【００４０】
【図１】本発明の第１の実施形態における落下水膜振動抑制装置を模式的に示す斜視図
【図２】本発明の第１の実施形態における落下水膜振動抑制装置の障害物を示す図
【図３】本発明の第１の実施形態における１つの障害物の高さと、発生する振動モードとの関係を示す図
【図４】落下水膜の各モードにおける「不安定」及び「安定」な障害物の高さを示す図
【図５】本発明の第１の実施形態における２つの障害物の高さと、発生する振動モードとの関係を示す図
【図６】本発明の第２の実施形態における落下水膜振動抑制装置を模式的に示す斜視図
【図７】本発明の第２の実施形態における落下水膜振動抑制装置の正面図（ａ）と側面図（ｂ）
【図８】本発明の第２の実施形態における底板及び三角板の高さと、発生する振動モードとの関係を示す図
【図９】落下水膜の挙動解析に用いた装置を示す斜視図
【図１０】落下水膜の波形と閉空間の圧力との関係を示す図
【図１１】落下水膜の振動モードを示す図
【図１２】振動モードの５パターンを示す図
【図１３】従来の落下水膜振動抑制装置を模式的に示す斜視図
【図１４】落下水膜の下部の１／４波長分が閉空間の圧力変動を生起することを説明する図
【図１５】落下水膜の下部の水平方向における変位と閉空間の圧力変動との関係を示す図
【符号の説明】
【００４１】
１０    上部水槽
１１    下部水槽
１２    スリット
１３    水膜
１４    背面板
１５    側板
１６    側板
１７    給水管
１８    整流板
１９    バッフル板
２０    障害物
２１    三角板
２２    底板
２０１  障害物
２０２  障害物
２０３  障害物
【図１】
2006307441.tif 000003
【図２】
2006307441.tif 000004
【図３】
2006307441.tif 000005
【図４】
2006307441.tif 000006
【図５】
2006307441.tif 000007
【図６】
2006307441.tif 000008
【図７】
2006307441.tif 000009
【図８】
2006307441.tif 000010
【図９】
2006307441.tif 000011
【図１０】
2006307441.tif 000012
【図１１】
2006307441.tif 000013
【図１２】
2006307441.tif 000014
【図１３】
2006307441.tif 000015
【図１４】
2006307441.tif 000016
【図１５】
2006307441.tif 000017